(57)【要約】    【課題】  放電開始電圧が変動しても、プライミング期間終了後における表示セル内の電荷状態を一定とし、良好且つ安定した表示品位を実現することができるプラズマ表示装置及びその駆動方法を提供する。    【解決手段】  温度が常温であり、放電開始電圧が通常の値であるときは、プライミング放電の開始時刻は時刻ｔ１となる。この場合は、時刻ｔ１から一定時間ｔだけ経過した時刻ｔ３に、維持ドライバ制御信号Ｓｓｕｄ２を立ち下げて維持電極を浮遊状態とし、プライミング放電を停止させる。一方、温度が高温であり、放電開始電圧が通常の値よりも高い値であるときは、プライミング放電の開始時刻はｔ２となる。この場合は、時刻ｔ２から一定時間ｔだけ経過した時刻ｔ４に、維持ドライバ制御信号Ｓｓｕｄ２を立ち下げて維持電極を浮遊状態とし、プライミング放電を停止させる。【選択図】  図３
2005326835.tif 000002
【特許請求の範囲】
【請求項１】
走査電極、維持電極及びデータ電極を備え複数の表示セルが形成された表示パネルと、表示データに基づいて前記走査電極、前記維持電極及び前記データ電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記表示パネルにおける放電開始電圧を予測し、この放電開始電圧の予測値が第１の値である第１の場合と前記第１の値より低い第２の値である第２の場合とで前記走査電極、維持電極及びデータ電極のうち少なくとも１の電極に印加する電圧の波形を異ならせ、前記第１の場合のプライミング放電後の前記表示セル内の電荷量と前記第２の場合のプライミング放電後の前記表示セル内の電荷量との差を、前記電圧の波形を異ならせない場合の前記差よりも小さくするものであることを特徴とするプラズマ表示装置。
【請求項２】
走査電極、維持電極及びデータ電極を備えた表示パネルと、表示データに基づいて前記走査電極、前記維持電極及び前記データ電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記表示パネルにおける放電開始電圧を予測し、この放電開始電圧の予測値が第１の値である第１の場合と前記第１の値より低い第２の値である第２の場合とで前記走査電極、維持電極及びデータ電極のうち少なくとも１の電極に印加する電圧の波形を異ならせ、前記第１の場合のプライミング放電の持続時間と前記第２の場合のプライミング放電の持続時間との差を、前記電圧の波形を異ならせない場合の前記差よりも小さくするものであることを特徴とするプラズマ表示装置。
【請求項３】
前記駆動回路が、前記プライミング期間に、前記走査電極と前記維持電極との間の電位差を連続的に増加させる第１期間、及び前記走査電極及び前記維持電極のうち一方の電極を浮遊状態にする第２期間を設け、前記放電開始電圧の予測値に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせるものであることを特徴とする請求項１又は２に記載のプラズマ表示装置。
【請求項４】
前記駆動回路が、前記第１期間において、前記維持電極の電位を一定に固定したまま前記走査電極の電位を前記維持電極の電位よりも高い電位から連続的に増加させ、前記第２期間において、前記走査電極の電位を連続的に増加させると共に前記維持電極を浮遊状態とするものであることを特徴とする請求項３に記載のプラズマ表示装置。
【請求項５】
前記駆動回路が、前記プライミング期間に、前記走査電極と前記維持電極との間の電位差を連続的に増加させる第１期間、及び前記電位差を減少させる第２期間を設け、前記第１の場合には前記第２の場合よりも前記第１期間における前記電位差の増加割合を大きくするものであることを特徴とする請求項１又は２に記載のプラズマ表示装置。
【請求項６】
前記駆動回路が、前記プライミング期間に、前記走査電極と前記維持電極との間の電位差を連続的に増加させる第１期間、及び前記電位差を減少させる第２期間を設け、前記放電開始電圧の予測値に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせるものであることを特徴とする請求項１又は２に記載のプラズマ表示装置。
【請求項７】
前記駆動回路が、前記第１期間において、前記維持電極の電位を一定に固定したまま前記走査電極の電位を前記維持電極の電位よりも高い電位から連続的に増加させ、前記第２期間において、前記走査電極の電位を非連続的に減少させると共に前記維持電極の電位を非連続的に増加させるものであることを特徴とする請求項５又は６に記載のプラズマ表示装置。
【請求項８】
前記駆動回路が、前記表示パネルの温度を測定する温度センサと、前記表示パネルの温度と放電開始電圧との相関データを記憶しており、前記温度センサの測定結果に基づいて前記放電開始電圧を予測する放電開始電圧予測回路と、この予測結果に基づいて前記走査電極及び前記維持電極に印加する電圧を制御するコントローラと、を有することを特徴とする請求項１乃至７のいずれか１項に記載のプラズマ表示装置。
【請求項９】
前記駆動回路が、起動時から一定時間が経過するまでは第１の信号を出力し、前記一定の時間が経過した後は第２の信号を出力するタイマと、このタイマの出力信号に基づいて前記走査電極及び前記維持電極に印加する電圧を制御するコントローラと、を有することを特徴とする請求項１乃至７のいずれか１項に記載のプラズマ表示装置。
【請求項１０】
走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記走査電極及び前記維持電極のうち一方の電極を浮遊状態にする第２期間を設け、前記走査電極と前記維持電極との間の放電開始電圧を予測し、この放電開始電圧の予測値が第１の値である第１の場合に、前記予測値が前記第１の値より低い第２の値である第２の場合よりも前記第１期間から前記第２期間に移行するタイミングを遅らせることを特徴とするプラズマ表示装置。
【請求項１１】
走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記電位差を減少させる第２期間を設け、前記走査電極と前記維持電極との間の放電開始電圧を予測し、この放電開始電圧の予測値が第１の値である場合に、前記予測値が前記第１の値より低い第２の値である場合よりも前記第１期間における前記電位差の増加割合が大きくなるように前記走査電極及び前記維持電極に電圧を印加することを特徴とするプラズマ表示装置。
【請求項１２】
走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記電位差を減少させる第２期間を設け、前記走査電極と前記維持電極との間の放電開始電圧を予測し、この放電開始電圧の予測値が第１の値である場合に、前記予測値が前記第１の値より低い第２の値である場合よりも前記第１期間から前記第２期間に移行するタイミングを遅らせることを特徴とするプラズマ表示装置。
【請求項１３】
前記駆動回路が、前記走査電極及び前記維持電極が形成された第１の基板、又は前記第１の基板に対向する第２の基板の温度を測定する温度センサと、前記温度センサの測定結果に基づいて前記放電開始電圧を予測する放電開始電圧予測回路と、を有することを特徴とする請求項１０乃至１２のいずれか１項に記載のプラズマ表示装置。
【請求項１４】
前記駆動回路が、前記駆動回路の電源が投入されてから所定時間経過以前か以後かを検出する起動検出回路と、前記起動検出回路の検出結果に基づいて前記放電開始電圧を予測する放電開始電圧予測回路と、を有することを特徴とする請求項１０乃至１２のいずれか１項に記載のプラズマ表示装置。
【請求項１５】
１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置の駆動方法において、表示パネルにおける放電開始電圧を予測し、この放電開始電圧の予測値が第１の値である第１の場合と前記第１の値より低い第２の値である第２の場合とで走査電極、維持電極及びデータ電極のうち少なくとも１の電極に印加する電圧の波形を異ならせ、前記第１の場合のプライミング放電後の表示セル内の電荷量と前記第２の場合のプライミング放電後の表示セル内の電荷量との差を、前記電圧の波形を異ならせない場合の前記差よりも小さくすることを特徴とするプラズマ表示装置の駆動方法。
【請求項１６】
前記プライミング期間が、前記走査電極と前記維持電極との間の電位差を連続的に増加させる第１期間と、前記走査電極及び前記維持電極のうち一方の電極を浮遊状態にする第２期間と、を有し、前記放電開始電圧の予測結果に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせることを特徴とする請求項１５に記載のプラズマ表示装置の駆動方法。
【請求項１７】
前記第１期間が、前記維持電極の電位を一定に固定したまま前記走査電極の電位を前記維持電極の電位よりも高い電位から連続的に増加させる期間であり、前記第２期間が前記走査電極の電位を連続的に増加させると共に前記維持電極を浮遊状態とする期間であることを特徴とする請求項１６に記載のプラズマ表示装置の駆動方法。
【請求項１８】
前記プライミング期間が、前記走査電極と前記維持電極との間の電位差を連続的に増加させる第１期間と、前記電位差を減少させる第２期間と、を有し、前記第１の場合には前記第２の場合よりも前記第１期間における前記電位差の増加割合を大きくすることを特徴とする請求項１５に記載のプラズマ表示装置の駆動方法。
【請求項１９】
前記プライミング期間が、前記走査電極と前記維持電極との間の電位差を連続的に増加させる第１期間と、前記電位差を減少させる第２期間と、を有し、前記放電開始電圧の予測結果に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせることを特徴とする請求項１５に記載のプラズマ表示装置の駆動方法。
【請求項２０】
前記第１期間が、前記維持電極の電位を一定に固定したまま前記走査電極の電位を前記維持電極の電位よりも高い電位から連続的に増加させる期間であり、前記第２期間が前記走査電極の電位を非連続的に減少させると共に前記維持電極の電位を非連続的に増加させる期間であることを特徴とする請求項１８又は１９に記載のプラズマ表示装置の駆動方法。
【請求項２１】
前記放電開始電圧の予測は、表示パネルの温度を測定し、この温度の測定結果に基づいて前記放電開始電圧を予測することによって行われることを特徴とする請求項１５乃至２０のいずれか１項に記載のプラズマ表示装置の駆動方法。
【請求項２２】
前記放電開始電圧の予測は、前記プラズマディスプレイパネルの起動時からの経過時間を測定することによって行われることを特徴とする請求項１５乃至２０のいずれか１項に記載のプラズマ表示装置の駆動方法。
【発明の詳細な説明】
【技術分野】
【０００１】
本発明は、交流放電型プラズマ表示装置及びその駆動方法に関する。
【背景技術】
【０００２】
一般に、表示パネルとしてプラズマディスプレイパネル（Plasma Display Panel：以下、ＰＤＰともいう）を備えたプラズマ表示装置は、薄型で大画面表示が比較的容易にできること、視野角が広いこと、応答速度が速いことなど、数多くの特長を有している。このため、近時、フラットディスプレイとして壁掛テレビ及び公共表示板等に利用されている。ＰＤＰは、その動作方式により、電極を放電ガスが充填された放電空間に露出させ、前記電極間に直流放電を発生させることにより動作させる直流放電型（ＤＣ型）ＰＤＰと、電極を誘電体層により被覆して放電ガスには直接露出させず、交流放電の状態で動作させる交流放電型（ＡＣ型）ＰＤＰとに分類される。ＤＣ型ＰＤＰでは電圧が印加されている期間中放電が持続し、ＡＣ型ＰＤＰでは電圧の極性を反転させることにより放電を持続させる。また、ＡＣ型ＰＤＰには、１セル内の電極数が２であるものと３であるものとがある。
【０００３】
以下、従来の３電極ＡＣ型プラズマ表示装置の構造及び駆動方法について説明する。図８はＡＣ型プラズマ表示装置の１つの表示セルを示す斜視図であり、図９は従来のＡＣ型プラズマ表示装置を示すブロック図であり、図１０は図９に示すスキャンドライバ及び走査パルスドライバを示す回路図であり、図１１は図９に示す維持ドライバを示す回路図であり、図１２は図９に示すデータドライバを示す回路図である。
【０００４】
図９に示すように、プラズマ表示装置には、表示パネル１及びその駆動回路が設けられている。表示パネル１には複数個の表示セルがマトリクス状に配列されている。
【０００５】
図８に示すように、表示パネル１においては、ガラスからなる２つの絶縁基板１０１及び１０２が設けられている。絶縁基板１０１は背面基板となり、絶縁基板１０２は前面基板となる。絶縁基板１０２における絶縁基板１０１との対向面側には、透明な走査電極１０３及び透明な維持電極１０４が設けられている。走査電極１０３及び維持電極１０４は、パネルの水平方向（横方向）に延びている。また、夫々走査電極１０３及び維持電極１０４に重なるようにトレース電極１０５及び１０６が配置されている。トレース電極１０５及び１０６は、例えば金属製であり、各電極と外部の駆動装置との間の電極抵抗値を小さくするために設けられている。更に、走査電極１０３及び維持電極１０４を覆う誘電体層１１２並びにこの誘電体層１１２を放電から保護する酸化マグネシウム等からなる保護層１１４が設けられている。
【０００６】
絶縁基板１０１における絶縁基板１０２との対向面側には、絶縁基板１０１の表面に垂直な方向から見て、即ち、平面視で、走査電極１０３及び維持電極１０４と直交するデータ電極１０７が設けられている。従って、データ電極１０７は、パネルの垂直方向（縦方向）に延びる。また、水平方向で表示セルを区切る隔壁１０９が設けられている。また、データ電極１０７を覆う誘電体層１１３が設けられ、隔壁１０９の側面及び誘電体層１１３の表面上に放電ガスの放電により発生する紫外線を可視光１１０に変換する蛍光体層１１１が形成されている。そして、絶縁基板１０１及び１０２の空間に隔壁１０９により放電ガス空間１０８が確保され、この放電ガス空間１０８内に、ヘリウム、ネオン若しくはキセノン等又はこれらの混合ガスからなる放電ガスが充填される。
【０００７】
図９に示すように、表示パネル１においては、行方向（水平方向）に延びるｎ本（ｎは自然数）の走査電極３−１乃至３−ｎ（１０３）及びｎ本の維持電極４−１乃至４−ｎ（１０４）が互いに交互に所定間隔で設けられ、これらの走査電極３−１乃至３−ｎ及び維持電極４−１乃至４−ｎに平面視で直交するように列方向（垂直方向）に延びるｍ本（ｍは自然数）のデータ電極１０−１乃至１０−ｍ（１０７）が設けられている。そして、走査電極とデータ電極との最近接点及び維持電極とデータ電極との最近接点を夫々１つずつ含むように、表示セルが行列状に配置されている。従って、表示パネル１には、（ｎ×ｍ）個の表示セルが設けられている。
【０００８】
プラズマディスプレイには、表示パネル１の駆動回路として、駆動用電源２１、コントローラ２２、スキャンドライバ２３、走査パルスドライバ２４、維持ドライバ２５及びデータドライバ２６が設けられている。
【０００９】
駆動用電源２１は、例えば、５Ｖの論理電圧Ｖｄｄ、約７０Ｖのデータ電圧Ｖｄ及び約１７０Ｖの維持電圧Ｖｓを生成すると共に、維持電圧Ｖｓに基づいて、約４００Ｖのプライミング電圧Ｖｐ、約１００Ｖの走査ベース電圧Ｖｂｗ及び約１８０Ｖのバイアス電圧Ｖｓｗを生成する。論理電圧Ｖｄｄはコントローラ２２に供給され、データ電圧Ｖｄはデータドライバ２６に供給され、維持電圧Ｖｓはスキャンドライバ２３及び維持ドライバ２５に供給され、プライミング電圧Ｖｐ及び走査ベース電圧Ｖｂｗはスキャンドライバ２３に供給され、バイアス電圧Ｖｓｗは維持ドライバ２５に供給される。
【００１０】
コントローラ２２は、外部から供給される映像信号Ｓｖに基づいて、スキャンドライバ制御信号Ｓｓｃｄ１乃至Ｓｓｃｄ６、走査パルスドライバ制御信号Ｓｓｐｄ１１乃至Ｓｓｐｄ１ｎ及びＳｓｐｄ２１乃至Ｓｓｐｄ２ｎ、維持ドライバ制御信号Ｓｓｕｄ１乃至Ｓｓｕｄ３並びにデータドライバ制御信号Ｓｄｄ１１乃至Ｓｄｄ１ｍ及びＳｄｄ２１乃至Ｓｄｄ２ｍを生成する回路である。スキャンドライバ制御信号Ｓｓｃｄ１乃至Ｓｓｃｄ６はスキャンドライバ２３に供給され、走査パルスドライバ制御信号Ｓｓｐｄ１１乃至Ｓｓｐｄ１ｎ及びＳｓｐｄ２１乃至Ｓｓｐｄ２ｎは走査パルスドライバ２４に供給され、維持ドライバ制御信号Ｓｓｕｄ１乃至Ｓｓｕｄ３は維持ドライバ２５に供給され、データドライバ制御信号Ｓｄｄ１１乃至Ｓｄｄ１ｍ及びＳｄｄ２１乃至Ｓｄｄ２ｍはデータドライバ２６に供給される。
【００１１】
図１０に示すように、スキャンドライバ２３は、例えば６個のスイッチ２３−１乃至２３−６から構成されている。スイッチ２３−１の一端にはプライミング電圧Ｖｐが印加され、その他端はポジティブライン２７に接続されている。スイッチ２３−２の一端には維持電圧Ｖｓが印加され、その他端はポジティブライン２７に接続されている。スイッチ２３−３の一端は接地され、その他端はネガティブライン２８に接続されている。スイッチ２３−４の一端には走査ベース電圧Ｖｂｗが印加され、その他端はネガティブライン２８に接続されている。スイッチ２３−５の一端は接地され、その他端はポジティブライン２７に接続されている。スイッチ２３−６の一端は接地され、その他端はネガティブライン２８に接続されている。スイッチ２３−１乃至２３−６は、夫々スキャンドライバ制御信号Ｓｓｃｄ１乃至Ｓｓｃｄ６に基づいてオン／オフを切り替え、ポジティブライン２７及びネガティブライン２８を介して所定波形の電圧が走査パルスドライバ２４に供給される。また、スイッチ２３−１とプライミング電圧Ｖｐが印加されるノード（図示せず）との間、及びスイッチ２３−２と維持電圧Ｖｓが印加されるノード（図示せず）との間には、夫々電界効果トランジスタ等の抵抗素子（図示せず）が接続されている。この抵抗素子は、ゲートに印加される制御電圧によってソース・ドレイン間の抵抗値が変化し、スイッチ２３−１及びスイッチ２３−２に印加する電圧を連続的に変化させるものである。
【００１２】
図１０に示すように、走査パルスドライバ２４は、例えばｎ個のスイッチ２４−１１乃至２４−１ｎ、ｎ個のスイッチ２４−２１乃至２４−２ｎ、ｎ個のダイオード２４−３１乃至２４−３ｎ及びｎ個のダイオード２４−４１乃至２４−４ｎから構成されている。ダイオード２４−３１乃至２４−３ｎは、夫々スイッチ２４−１１乃至２４−１ｎの両端に並列に接続され、ダイオード２４−４１乃至２４−４ｎは、夫々スイッチ２４−２１乃至２４−２ｎの両端に並列に接続されている。また、スイッチ２４−１ａ（ａはｎ以下の自然数）とスイッチ２４−２ａとが直列に接続され、スイッチ２４−１１乃至２４−１ｎの各他端はネガティブライン２８に共通接続され、スイッチ２４−２１乃至２４−２ｎの各他端はポジティブライン２７に共通接続されている。更に、スイッチ２４−１ａとスイッチ２４−２ａとの接続点は、表示パネル１の上から第ａ行目に配置された走査電極３−ａに接続されている。スイッチ２４−１１乃至２４−１ｎ及び２４−２１乃至２４−２ｎは、夫々走査パルスドライバ制御信号Ｓｓｐｄ１１乃至Ｓｓｐｄ１ｎ及びＳｓｐｄ２１乃至Ｓｓｐｄ２ｎに基づいてオン／オフが切り替えられ、走査電極３−１乃至３−ｎに、夫々所定波形の電圧Ｐｓｃ１乃至Ｐｓｃｎを順次供給する。
【００１３】
図１１に示すように、維持ドライバ２５は、例えば３個のスイッチ２５−１乃至２５−３から構成されている。スイッチ２５−１の一端には維持電圧Ｖｓが印加され、その他端には維持電極４−１乃至４−ｎが共通接続されている。スイッチ２５−２の一端は接地され、その他端には維持電極４−１乃至４−ｎが共通接続されている。スイッチ２５−３の一端にはバイアス電圧Ｖｓｗが印加されると共に、その他端には維持電極４−１乃至４−ｎが共通接続されている。スイッチ２５−１乃至２５−３は、夫々維持ドライバ制御信号Ｓｓｕｄ１乃至Ｓｓｕｄ３に基づいてオン／オフが切り替えられ、維持電極４−１乃至４−ｎに所定波形の電圧Ｐｓｕを同時に供給する。
【００１４】
図１２に示すように、データドライバ２６は、例えばｍ個のスイッチ２６−１１乃至２６−１ｍ、ｍ個のスイッチ２６−２１乃至２６−２ｍ、ｍ個のダイオード２６−３１乃至２６−３ｍ及びｍ個のダイオード２６−４１乃至２６−４ｍから構成されている。ダイオード２６−３１乃至２６−３ｍは、夫々スイッチ２６−１１乃至２６−１ｍの両端に並列に接続され、ダイオード２６−４１乃至２６−４ｍは、夫々スイッチ２６−２１乃至２６−２ｍの両端に並列に接続されている。スイッチ２６−１ｂ（ｂ：ｍ以下の自然数）とスイッチ２６−２ｂとが直列に接続され、スイッチ２６−１１乃至２６−１ｍの各他端は接地に共通接続され、スイッチ２６−２１乃至２６−２ｍの各他端にはデータ電圧Ｖｄが供給されている。更に、スイッチ２６−１ｂとスイッチ２６−２ｂとの接続点は、表示パネル１の左から第ｂ列目に配置されたデータ電極１０−ｂに接続されている。スイッチ２６−１１乃至２６−１ｍ及び２６−２１乃至２６−２ｍは、夫々データドライバ制御信号Ｓｄｄ１１乃至Ｓｄｄ１ｍ及びＳｄｄ２１乃至Ｓｓｐｄ２ｍに基づいてオン／オフが切り替えられ、データ電極１０−１乃至１０−ｍに、夫々所定波形の電圧Ｐｄ１乃至Ｐｄｍを順次供給する。
【００１５】
次に、上述のように構成された従来のプラズマ表示装置の書込選択型駆動動作について説明する。図１３は従来のプラズマ表示装置の書込選択型駆動動作を示すタイミングチャートである。従来のプラズマ表示装置の駆動方法においては、１フィールドが複数のサブフィールド（以下、ＳＦともいう）からなり、１のサブフィールドには、順次設定されるプライミング期間Ｔｐ、アドレス期間Ｔａ、維持期間Ｔｓ及び電荷消去期間Ｔｅの４つの期間が設けられている。プライミング期間Ｔｐは、全ての表示セルを発光させて、全ての表示セル内の電荷状態を活性化させると共に電荷状態を揃え、初期化する期間である。また、アドレス期間Ｔａは、このアドレス期間に続く維持期間Ｔｓにおいて維持放電を発生させようとする表示セルに書込放電を発生させ、壁電荷を形成する期間である。更に、維持期間Ｔｓは、アドレス期間Ｔａにおいて壁電荷が形成された表示セルにおいて維持放電を生じさせる期間である。更にまた、電荷消去期間Ｔｅは、維持期間Ｔｓにおいて発光させた表示セル内の壁電荷を消去する期間である。
【００１６】
次に、上述の各期間における動作について、詳細に説明する。以下、走査電極及び維持電極の基準電位を維持電圧Ｖｓとし、これよりも高い電位を正極性といい、これよりも低い電位を負極性という。また、データ電極の基準電位は接地電圧ＧＮＤとし、これよりも高い電位を正極性、これよりも低い電位を負極性という。
【００１７】
プライミング期間Ｔｐでは、先ず、コントローラ２２がスキャンドライバ制御信号Ｓｓｃｄ１乃至Ｓｓｃｄ６、維持ドライバ制御信号Ｓｓｕｄ１乃至Ｓｓｕｄ３、走査パルスドライバ制御信号Ｓｓｐｄ１１乃至Ｓｓｐｄ１ｎ及びＳｓｐｄ２１乃至Ｓｓｐｄ２ｎの生成を開始すると共に、外部から供給される映像信号Ｓｖに基づいたレベルのデータドライバ制御信号Ｓｄｄ１１乃至Ｓｄｄ１ｍ及びロウレベルのデータドライバ制御信号Ｓｄｄ２１乃至Ｓｄｄ２ｍの生成を開始し、これらの制御信号を所定のドライバに供給する。
【００１８】
この結果、プライミング期間Ｔｐにおいては、ハイレベルのスキャンドライバ制御信号Ｓｓｃｄ１によってスイッチ２３−１がオンすると共に、ハイレベルの維持ドライバ制御信号Ｓｓｕｄ２によりスイッチ２５−２がオンする。また、走査パルスドライバ制御信号Ｓｓｐｄ１１乃至Ｓｓｐｄ１ｎがロウレベルとなり、スイッチ２４−１１乃至２４−１ｎがオフになると共に、Ｓｓｐｄ２１乃至Ｓｓｐｄ２ｎがハイレベルとなり、スイッチ２４−２１乃至２４−２ｎがオンになる。従って、図１３に示すように、全ての走査電極３−１乃至３−ｎに正極性のプライミングパルスＰｐｒｐが印加され、全ての維持電極４−１乃至４−ｎに負極性のプライミングパルスＰｐｒｎが印加される。このため、全ての表示セルにおいて、走査電極１０３（３−１乃至３−ｎ）と維持電極１０４（４−１乃至４−ｎ）との間の電極間ギャプ近傍の放電ガス空間１０８でプライミング放電が発生する。このとき、スイッチ２３−１とプライミング電圧Ｖｐとの間に接続された抵抗素子の抵抗値を連続的に変化させることにより、プライミングパルスＰｐｒｐを、電位が維持電圧Ｖｓからプライミング電圧Ｖｐまで連続的に増加する鋸歯状波とすることができる。
【００１９】
これにより、表示セルの書込放電を発生させやすくする活性粒子が放電ガス空間１０８内に生成されると共に、走査電極３−１乃至３−ｎに負の壁電荷が付着し、維持電極４−１乃至４−ｎに正の壁電荷が付着し、データ電極１０−１乃至１０−ｍ上に正の壁電荷が付着する。
【００２０】
続いて、維持ドライバ制御信号Ｓｓｕｄ２がロウレベルに立ち下がることによりスイッチ２５−２がオフし、維持電極１０４（４−１乃至４−ｎ）が浮遊状態となる。これにより、維持電極１０４の電位は走査電極１０３の電位に引きずられて連続的に上昇する。これにより、プライミング放電が停止する。このように、維持電極１０４を浮遊状態としてプライミング放電を停止することにより、過剰なプライミング放電を抑制し、黒輝度、即ち、最下位の階調（０階調）の輝度を低減することができる。従って、黒輝度を低減するためには、維持電極１０４を浮遊状態とするタイミングは、プライミング放電を十分に発生させることができる限りにおいて、可及的に早いタイミングとすることが好ましい。
【００２１】
次に、維持ドライバ制御信号Ｓｓｕｄ１がハイレベルに立ち上がることによりスイッチ２５−１がオンする。その後、スキャンドライバ制御信号Ｓｓｃｄ２が立ち下がることによりスイッチ２３−２がオフすると共に、スキャンドライバ制御信号Ｓｓｃｄ３が立ち上がることによりスイッチ２３−３がオンする。従って、全ての維持電極４−１乃至４−ｎの電位が約１７０Ｖの維持電圧Ｖｓに保持された後、全ての走査電極３−１乃至３−ｎにプライミング消去パルスＰｐｒｅが印加される。このため、全ての表示セルにおいて弱い放電が発生する。これにより、走査電極３−１乃至３−ｎ上の負の壁電荷、維持電極４−１乃至４−ｎ上の正の壁電荷及びデータ電極１０−１乃至１０−ｍ上の正の壁電荷が減少する。
【００２２】
次に、アドレス期間Ｔａの初期状態においては、ハイレベルの維持ドライバ制御信号Ｓｓｕｄ３によりスイッチ２５−３がオンしていると共に、プライミング期間Ｔｐの後半から供給されているハイレベルのスキャンドライバ制御信号Ｓｓｃｄ４及びＳｓｃｄ５によりスイッチ２３−４及び２３−５がオンしている。また、走査パルスドライバ制御信号Ｓｓｐｄ１１乃至Ｓｓｐｄ１ｎはハイレベルとなり、走査パルスドライバ制御信号Ｓｓｐｄ２１乃至Ｓｓｐｄ２ｎはロウレベルとなっているため、スイッチ２４−１１乃至２４−１ｎはオンし、スイッチ２４−２１乃至２４−２ｎはオフしている。従って、全ての維持電極４−１乃至４−ｎに正極性（バイアス電圧Ｖｓｗ）のバイアスパルスＰｂｐが印加されると共に、全ての走査電極３−１乃至３−ｎに印加されるパルスＰｓｃ１乃至Ｐｓｃｎの電位が一旦走査ベース電圧Ｖｂｗに保持される。
【００２３】
このような状態において、走査パルスドライバ制御信号Ｓｓｐｄ１１乃至Ｓｓｐｄ１ｎを順次ロウレベルに立ち下げると共に、これに整合させて走査パルスドライバ制御信号Ｓｓｐｄ２１乃至Ｓｓｐｄ２ｎを順次ハイレベルに立ち上げることにより、スイッチ２４−１１乃至２４−１ｎを順次オフさせると共に、スイッチ２４−２１乃至２４−２ｎを順次オンさせる。更に、これに同期して、図示しないが、データドライバ制御信号Ｓｄｄ１１乃至Ｓｄｄ１ｍを映像信号Ｓｖに基づいてハイレベルに立ち上げると共に、これに整合させてデータドライバ制御信号Ｓｄｄ２１乃至Ｓｄｄ２ｍを立ち下げることにより、スイッチ２６−１１乃至２６−１ｍを映像信号Ｓｖに基づいてオンさせると共に、スイッチ２６−２１乃至２６−２ｍをオフさせる。これにより、第ａ行目の第ｂ列目の表示セルにおいて書き込みが行われる場合には、第ａ行目の走査電極３−ａに負極性の走査パルスＰｗｓｎが印加されると同時に、第ｂ列目のデータ電極１０−ｂに正極性のデータパルスＰｄｂが印加される。この結果、第ａ行目の第ｂ列目の表示セルにおいて対向放電が発生し、更にこの対向放電をトリガとする面放電が書込放電として走査電極及び維持電極間で発生し、電極に壁電荷が付着する。これに対し、書込放電が発生しなかった表示セルにおいては、プライミング期間Ｔａの電荷消去後の壁電荷が少ない状態のままである。
【００２４】
次に、維持期間Ｔｓにおいては、スキャンドライバ制御信号Ｓｓｃｄ２及びＳｓｃｄ６がそのサブフィールドにおいて決められた回数だけ交互に立ち上がり／立ち下がりを繰り返す。この結果、スイッチ２３−２及び２３−６が交互にオン／オフを繰り返す。また、これと同期して、維持ドライバ制御信号Ｓｓｕｄ１及びＳｓｕｄ２もそのサブフィールドにおいて決められた回数だけ交互に立ち上がり／立ち下がりを繰り返す。この結果、スイッチ２５−１及び２５−２が交互にオン／オフを繰り返す。従って、全ての走査電極３−１乃至３−ｎに負極性の維持パルスＰｓｕｎ１がサブフィールドにおいて決められた回数だけ印加されると共に、全ての維持電極４−１乃至４−ｎに負極性の維持パルスＰｓｕｎ２がサブフィールドにおいて決められた回数だけ維持パルスＰｓｕｎ１に同期して印加される。このとき、アドレス期間Ｔａで書き込みが行われなかった表示セルの壁電荷量は極めて少ないので、その表示セルに維持パルスが印加されても維持放電は発生しない。一方、アドレス期間Ｔａで書込放電が発生した表示セルにおいては、走査電極に正電荷が、維持電極に負電荷が付着しているため、維持パルスと壁電荷電圧とが互いに重畳され、電極間の電圧が放電開始電圧を超えて放電が発生する。
【００２５】
次に、電荷消去期間Ｔｅにおいては、スキャンドライバ制御信号Ｓｓｃｄ３が立ち上がることによりスイッチ２３−３がオンする。この結果、全ての走査電極３−１乃至３−ｎに負極性の電荷消去パルスＰｅｅｎが印加される。従って、全ての表示セルにおいて弱い放電が発生する。これにより、維持期間Ｔｓにおいて発光していた表示セル内の走査電極及び維持電極上に蓄積していた壁電荷が消去され、全ての表示セルの電荷状態が均一化される。
【００２６】
しかしながら、上述の従来の技術には、以下に示すような問題点がある。通常、表示セルにおいて放電が発生する放電開始電圧は、常に一定ではなく変動する。パッシェンの法則より、放電開始電圧は電極間距離と表示セルの圧力との積に依存し、通常、プラズマ表示装置が動作する条件では、前記積が大きいほど、放電開始電圧が高くなる。このため、例えば、ＰＤＰの温度が高くなると、放電ガス自体の圧力が高くなると共に、表示セル内において隔壁等に吸着していたガスが脱離するため、表示セル内の圧力が上昇する。この結果、放電開始電圧が増加する。また、放電が全く発生しない状態が続くと、時間と共に表示セル内の荷電粒子が減少する。これにより、プラズマ表示装置の起動時は、定常動作時と比較して、放電開始電圧が高くなる。
【００２７】
図１４は、図１３に示すプライミング期間Ｔｐを詳細に示すタイミングチャートである。なお、図１４には、このプライミング期間Ｔｐに続くアドレス期間Ｔａの一部、及び１つ前のサブフィールドの電荷消去期間Ｔｅも示されている。図１４に示すように、放電開始電圧が通常の値である場合、例えばＰＤＰの温度が常温である場合には、走査電極と維持電極との間の電位差（以下、面電圧ともいう）が放電開始電圧を超える時刻ｔ１においてプライミング放電が始まり、維持電極が浮遊状態となる時刻ｔ３においてプライミング放電が停止する。これに対して、放電開始電圧が通常の値よりも高い値である場合、例えばＰＤＰの温度が高温である場合は、時刻ｔ１よりも後の時刻ｔ２において面電圧が放電開始電圧を超えてプライミング放電が始まり、時刻ｔ３においてプライミング放電が停止する。このため、高温時においては、プライミング放電が生じている時間が常温時よりも短くなり、プライミング放電が不十分なものとなる。また、放電開始電圧が特に高い場合には、時刻ｔ３においても面電圧が放電開始電圧に到達せず、プライミング放電が発生しないこともある。
【００２８】
そこで、放電開始電圧が高い条件下においても確実にプライミング放電を発生させようとすると、プライミング電圧Ｖｐを高めに設定せざるを得ない。この結果、放電開始電圧が低い通常の状態においては、必要以上に高いプライミング電圧を印加することになり、過剰なプライミング放電が発生する。このため、黒輝度が増加し、画像のコントラストが低下してしまう。一方、プライミング電圧Ｖｐを、放電開始電圧が低い通常の状態において最適な値に設定すると、前述の如く、放電開始電圧が高い状態においてはプライミング放電が発生しないか、発生しても不十分なものになる。このため、表示セルによっては書込放電が発生せずに書込不良が生じる。この結果、書込不良が発生した表示セルにおいては維持放電が発生せず、画像にムラが生じ、表示品質を低下させてしまう。
【００２９】
そこで、特許文献１には、プライミングパルスを矩形波とし、プラズマ表示装置の起動時に、定常動作時よりもプライミング電圧を高くする技術が開示されている。特許文献１には、これにより、起動時においても確実にプライミング放電を発生させることができると記載されている。
【００３０】
【特許文献１】特開２０００−２００２１号公報
【発明の開示】
【発明が解決しようとする課題】
【００３１】
しかしながら、上述の従来の技術には、以下に示すような問題点がある。特許文献１に記載された技術においては、プライミングパルスを矩形波としている。しかし、パルスが矩形波であると放電が不安定になると共に、必要以上に明るい放電が発生してしまう。従って、プライミングパルスを矩形波とすることは実用的ではない。
【００３２】
そこで、プライミングパルスを図１３及び図１４に示すような鋸歯状波とした上で、特許文献１に記載された起動時のみプライミング電圧を高くする技術を適用することが考えられる。しかし、この方法では、放電開始電圧が高い場合においてプライミング放電を開始させることはできるものの、その開始時刻はばらついてしまう。一方、放電が停止する時刻ｔ３は放電開始電圧によらず略一定である。このため、放電開始電圧が変動すると、プライミング放電が生じている期間の長さが変動し、プライミング放電が不均一となる。この結果、動作条件によってプライミング期間終了後における表示セル内の電荷状態が変動し、表示品質も変動してしまう。
【００３３】
本発明はかかる問題点に鑑みてなされたものであって、放電開始電圧が変動しても、プライミング期間終了後における表示セル内の電荷状態を一定とし、良好且つ安定した表示品位を実現することができるプラズマ表示装置及びその駆動方法を提供することを目的とする。
【課題を解決するための手段】
【００３４】
本発明に係る第１のプラズマ表示装置は、走査電極、維持電極及びデータ電極を備え複数の表示セルが形成された表示パネルと、表示データに基づいて前記走査電極、前記維持電極及び前記データ電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記表示パネルにおける放電開始電圧を予測し、この放電開始電圧の予測値が第１の値である第１の場合と前記第１の値より低い第２の値である第２の場合とで前記走査電極、維持電極及びデータ電極のうち少なくとも１の電極に印加する電圧の波形を異ならせ、前記第１の場合のプライミング放電後の前記表示セル内の電荷量と前記第２の場合のプライミング放電後の前記表示セル内の電荷量との差を、前記電圧の波形を異ならせない場合の前記差よりも小さくするものであることを特徴とする。
【００３５】
本発明においては、放電開始電圧の変動に伴うプライミング放電後の表示セル内の電荷量の変動が小さくなるように、駆動回路が走査電極及び維持電極に印加する電圧を制御するため、放電開始電圧が変動しても、プライミング放電後の表示セル内の電荷状態を均一化することができる。
【００３６】
本発明に係る第２のプラズマ表示装置は、走査電極、維持電極及びデータ電極を備えた表示パネルと、表示データに基づいて前記走査電極、前記維持電極及び前記データ電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記表示パネルにおける放電開始電圧を予測し、この放電開始電圧の予測値が第１の値である第１の場合と前記第１の値より低い第２の値である第２の場合とで前記走査電極、維持電極及びデータ電極のうち少なくとも１の電極に印加する電圧の波形を異ならせ、前記第１の場合のプライミング放電の持続時間と前記第２の場合のプライミング放電の持続時間との差を、前記電圧の波形を異ならせない場合の前記差よりも小さくするものであることを特徴とする。
【００３７】
本発明においては、放電開始電圧の変動に伴うプライミング放電の持続時間の変動が小さくなるように、駆動回路が走査電極及び維持電極に印加する電圧を制御するため、放電開始電圧が変動しても、プライミング放電の強度の変動を抑制し、プライミング放電後の表示セル内の電荷状態を均一化することができる。
【００３８】
また、前記駆動回路が、前記表示パネルの温度を測定する温度センサと、前記表示パネルの温度と放電開始電圧との相関データを記憶しており、前記温度センサの測定結果に基づいて前記放電開始電圧を予測する放電開始電圧予測回路と、この予測結果に基づいて前記走査電極及び前記維持電極に印加する電圧を制御するコントローラと、を有していてもよい。これにより、表示パネルの温度が変動して放電開始電圧が変動しても、プライミング放電に与える影響を解消することができる。
【００３９】
更に、前記駆動回路が、起動時から一定時間が経過するまでは第１の信号を出力し、前記一定の時間が経過した後は第２の信号を出力するタイマと、このタイマの出力信号に基づいて前記走査電極及び前記維持電極に印加する電圧を制御するコントローラと、を有していてもよい。これにより、プラズマ表示装置の起動時に放電開始電圧が変動しても、プライミング放電に与える影響を解消することができる。
【００４０】
本発明に係る第３のプラズマ表示装置は、走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記走査電極及び前記維持電極のうち一方の電極を浮遊状態にする第２期間を設け、前記走査電極と前記維持電極との間の放電開始電圧を予測し、この放電開始電圧の予測値が第１の値である第１の場合に、前記予測値が前記第１の値より低い第２の値である第２の場合よりも前記第１期間から前記第２期間に移行するタイミングを遅らせることを特徴とする。
【００４１】
本発明においては、放電開始電圧が変動してプライミング放電の開始時刻が変動しても、プライミング放電後の表示セル内の電荷量の変動を抑制することができる。
【００４２】
本発明に係る第４のプラズマ表示装置は、走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記電位差を減少させる第２期間を設け、前記走査電極と前記維持電極との間の放電開始電圧を予測し、この放電開始電圧の予測値が第１の値である場合に、前記予測値が前記第１の値より低い第２の値である場合よりも前記第１期間における前記電位差の増加割合が大きくなるように前記走査電極及び前記維持電極に電圧を印加することを特徴とする。
【００４３】
本発明においては、放電開始電圧が変動しても、プライミング放電の開始時刻の変動を抑制することができ、プライミング放電の持続時間の変動を抑制することができる。この結果、プライミング放電後の表示セル内の電荷量の変動を抑制することができる。
【００４４】
本発明に係る第５のプラズマ表示装置は、走査電極及び維持電極を備えた表示パネルと、前記走査電極及び前記維持電極に電圧を印加する駆動回路と、を有し、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置において、前記駆動回路は、前記プライミング期間に、前記走査電極と前記維持電極との間の電位差を連続的に増加させる第１期間、及び前記電位差を減少させる第２期間を設け、前記走査電極と前記維持電極との間の放電開始電圧を予測し、この放電開始電圧の予測値が第１の値である場合に、前記予測値が前記第１の値より低い第２の値である場合よりも前記第１期間から前記第２期間に移行するタイミングを遅らせることを特徴とする。
【００４５】
本発明においては、放電開始電圧が変動してプライミング放電の開始時刻が変動しても、プライミング放電後の表示セル内の電荷量の変動を抑制することができる。
【００４６】
本発明に係るプラズマ表示装置の駆動方法は、１フィールドを１又は複数のサブフィールドに分割して表示し、１又は複数のフィールドのうち少なくとも１のサブフィールドにおいてプライミング放電を発生させて電荷状態を活性化するプライミング期間が設けられたプラズマ表示装置の駆動方法において、表示パネルにおける放電開始電圧を予測し、この放電開始電圧の予測値が第１の値である第１の場合と前記第１の値より低い第２の値である第２の場合とで走査電極、維持電極及びデータ電極のうち少なくとも１の電極に印加する電圧の波形を異ならせ、前記第１の場合のプライミング放電後の表示セル内の電荷量と前記第２の場合のプライミング放電後の表示セル内の電荷量との差を、前記電圧の波形を異ならせない場合の前記差よりも小さくすることを特徴とする。
【００４７】
本発明においては、プライミング放電後の表示セル内の電荷量が一定になるように、走査電極及び維持電極に印加する電圧を制御することにより、放電開始電圧が変動しても、プライミング放電後の表示セル内の電荷状態を一定にすることができる。
【００４８】
また、前記プライミング期間が、前記走査電極と前記維持電極との間の電位差を連続的に増加させる第１期間と、前記走査電極及び前記維持電極のうち一方の電極を浮遊状態にする第２期間と、を有し、前記放電開始電圧の予測結果に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせてもよい。これにより、第１期間から第２期間に移行するときにプライミング放電が停止するため、放電開始電圧が変動してプライミング放電の開始時刻が変動しても、プライミング放電後の表示セル内の電荷量の変動を抑制することができる。
【００４９】
又は、前記プライミング期間が、前記走査電極と前記維持電極との間の電位差を連続的に増加させる第１期間と、前記電位差を減少させる第２期間と、を有し、前記第１の場合には前記第２の場合よりも前記第１期間における前記電位差の増加割合を大きくしてもよい。これにより、放電開始電圧が変動しても、プライミング放電の開始時刻の変動を抑制することができる。
【００５０】
又は、前記プライミング期間が、前記走査電極と前記維持電極との間の電位差を連続的に増加させる第１期間と、前記電位差を減少させる第２期間と、を有し、前記放電開始電圧の予測結果に基づいて前記第１期間における前記プライミング放電の開始時刻を算出し、この開始時刻が第１の時刻である場合には、前記開始時刻が前記第１の時刻よりも早い第２の時刻である場合よりも前記第１期間から前記第２期間に移行するタイミングを遅らせてもよい。これにより、第１期間から第２期間に移行するときにプライミング放電が停止するため、放電開始電圧が変動してプライミング放電の開始時刻が変動しても、プライミング放電後の表示セル内の電荷量の変動を抑制することができる。
【発明の効果】
【００５１】
本発明によれば、プラズマ表示装置において、放電開始電圧の変動に伴うプライミング放電後の表示セル内の電荷量の変動を抑制することにより、放電開始電圧が変動しても、プライミング期間終了後における表示セル内の電荷状態を均一化することができ、良好且つ安定した表示品位を実現することができる。
【発明を実施するための最良の形態】
【００５２】
以下、本発明の実施形態について添付の図面を参照して具体的に説明する。先ず、本発明の第１の実施形態について説明する。図１は本実施形態に係るプラズマ表示装置を示すブロック図であり、図２は、横軸に表示パネルの温度をとり、縦軸に放電開始電圧をとって、図１に示す放電開始電圧予測回路に記憶された温度−放電開始電圧相関データを示すグラフ図である。
【００５３】
図１に示すように、本実施形態に係るプラズマ表示装置においては、表示パネル１の温度を測定する温度センサ３１が設けられている。温度センサ３１は、表示パネル１の絶縁基板１０１又は１０２（図８参照）の温度を測定できるような位置に、１個又は複数個設けられている。温度センサ３１は、例えば、表示パネル１から熱が伝導する位置に取り付けられた熱電対を含むセンサであり、例えば、表示パネル１の裏面に配置されたデジタルパッケージ（図示せず）に１個取り付けられている。
【００５４】
また、本実施形態に係るプラズマ表示装置においては、温度センサ３１の出力信号が入力されるように、放電開始電圧予測回路３２が設けられている。放電開始電圧予測回路３２には、図２に示すような表示パネル１の温度と放電開始電圧との相関関係を示すデータが記憶されている。このデータは、予め測定され、プラズマ表示装置の製造時に放電開始電圧予測回路３２に格納されたものである。図２に示すように、表示パネル１の温度が高いほど、放電開始電圧は高くなっている。放電開始電圧予測回路３２は、温度センサ３１から入力された表示パネル１の温度測定結果に基づいて、図２に示すデータを参照して表示パネル１の放電開始電圧を予測し、これをコントローラ２９に対して出力するものである。
【００５５】
コントローラ２９は、放電開始電圧予測回路３２から入力された放電開始電圧の予測値に基づいて、プライミング放電が開始する時刻を算出し、この開始時刻に基づいて維持ドライバ制御信号Ｓｓｕｄ２を制御する機能を備えている。コントローラ２９における上記以外の機能は、前述の従来のプラズマ表示装置におけるコントローラ２２（図９参照）の機能と同じである。また、本実施形態に係るプラズマ表示装置の上記以外の構成は、図８乃至図１２に示す従来のプラズマ表示装置の構成と同様である。
【００５６】
次に、上述の如く構成された本実施形態に係るプラズマ表示装置の動作、即ち、本実施形態に係るプラズマ表示装置の駆動方法について説明する。図３は、本実施形態に係るプラズマ表示装置のプライミング動作を示すタイミングチャートである。
【００５７】
図１に示すように、プラズマ表示装置の動作中において、温度センサ３１が表示パネル１の温度を測定し、その測定結果を放電開始電圧予測回路３２に対して出力する。放電開始電圧予測回路３２は、温度センサ３１から入力された温度測定結果と、図２に示す温度−放電開始電圧相関データとを参照して放電開始電圧を予測し、この予測値をコントローラ２９に対して出力する。そして、コントローラ２９は、この予測値と図３に示すプライミングパルスＰｐｒｐの波形とを参照して、プライミング放電の開始時刻を算出する。そして、この開始時刻から、予め設定された一定時間ｔだけ経過した後に、維持ドライバ制御信号Ｓｓｕｄ２をハイレベルからロウレベルに立ち下げ、維持電極４−１乃至４−ｎを浮遊状態とする。これにより、プライミング放電を停止させる。
【００５８】
例えば、図３に実線で示すように、温度が常温であり、放電開始電圧が通常の値であるときは、プライミング放電の開始時刻は時刻ｔ１となる。なお、このとき、温度センサ３１は表示パネル１の温度が常温であることを検知し、放電開始電圧予測回路３２は表示パネル１の放電開始電圧が通常の値であることを予測し、コントローラ２９はプライミング放電の開始時刻が時刻ｔ１であることを算出する。そして、コントローラ２９は時刻ｔ１から一定時間ｔだけ経過した時刻ｔ３に、維持ドライバ制御信号Ｓｓｕｄ２を立ち下げて維持電極を浮遊状態とし、プライミング放電を停止させる。これに対して、図３に破線で示すように、温度が高温であり、放電開始電圧が通常の値よりも高い値であるときは、プライミング放電の開始時刻は前述の時刻ｔ１よりも遅い時刻ｔ２となる。このとき、コントローラ２９は、時刻ｔ２から一定時間ｔだけ経過した時刻ｔ４に、維持ドライバ制御信号Ｓｓｕｄ２を立ち下げて、プライミング放電を停止させる。即ち、温度が高温である場合は、放電開始電圧が常温よりも高く、プライミング放電の開始時刻ｔ２が常温時の開始時刻ｔ１よりも遅いため、維持電極を浮遊状態にする移行時刻ｔ４を常温時の移行時刻ｔ３よりも遅らせる。これにより、温度が変動しても、プライミング放電の持続時間を一定時間ｔとすることができ、プライミング放電の強度を一定とすることができる。つまり、上述のように放電開始電圧の予測値に基づいて維持電極を浮遊状態にするタイミングの調整を行うことにより、このような調整を行わない場合と比較して、常温時と高温時とのプライミング放電の持続時間の差を小さくすることができる。本実施形態に係るプラズマ表示装置の上記以外の動作は、図１３に示す従来のプラズマ表示装置の動作と同様である。
【００５９】
本実施形態においては、外気温の変動及びプラズマ表示装置の駆動に伴う発熱等により表示パネル１の温度が変動しても、プライミング放電の持続時間の変動を抑制することができ、従って、プライミング放電の強度を一定とすることができる。これにより、プライミング放電後の表示セル内の電荷量を、温度によらず一定とすることができ、プライミング期間Ｔｐに続くアドレス期間Ｔａ及び維持期間Ｔｓにおいて、動作を安定化することができる。この結果、温度が常温である場合に、過剰なプライミング放電が発生して画像のコントラストが低下することがなく、また、温度が高温である場合に、プライミング放電が不十分になりアドレス期間Ｔａにおいて書込不良が発生することもなく、表示品位を良好且つ安定なものとすることができる。
【００６０】
なお、温度センサ３１を１個のみ設ける場合は、表示パネル１の背面基板、即ち、絶縁基板１０１の裏面の中央部に設置することが望ましい。以下、この理由について説明する。プラズマ表示装置に表示させる映像としては、テレビジョン放送映像のように画面の全面に表示される映像と、時刻表示又は機能表示のように画面の角部にのみ表示される映像との２種類の映像が多い。前者の場合、映像の表示に伴って表示パネル１の温度は略一様に上昇し、放電開始電圧も略一様に上昇するため、温度センサ３１を表示パネル１の中央部に取り付けておけば、表示パネル１の代表的な温度を検出し、放電開始電圧の上昇を打ち消すように表示パネル１を制御することができる。一方、後者の場合、表示パネル１の端部に位置する一領域のみが発光するような映像を表示すると、この一領域は発熱するが表示パネル１の中央部は発熱しない。このため、前記一領域及びその周辺の放電開始電圧は上昇するが、表示パネル１の中央部の温度は上昇しないため、放電開始電圧予測回路３２が予測する放電開始電圧には、前記一領域における放電開始電圧の上昇は反映されない。しかしながら、このように局所的に発光させる場合は、表示パネル１を駆動する駆動負荷が小さいため、データ電極の電圧降下が小さい。従って、全面発光させる場合のような駆動負荷が大きい場合と比較して、書込放電時の印加電圧が高くなる。これにより、前記一領域における放電開始電圧の上昇をある程度補うことができる。従って、全面映像を表示する場合においても局所映像を表示する場合においても、表示パネル１の温度を絶縁基板１０１の裏面中央部の一点で測定すれば、実用上十分な程度に、放電開始電圧の変動を打ち消すための制御を行うことができる。
【００６１】
また、複数個の温度センサ３１を表示パネル１の背面基板に設け、この複数個の温度センサの測定結果に基づいて、走査電極及び維持電極に印加する電圧を制御してもよい。この場合、複数個の温度センサの測定値の平均値又は最大値に基づいて制御することもできるし、各温度センサの位置を考慮し、夫々の測定値の加重平均に基づいて制御することもできる。
【００６２】
なお、図３には、温度が常温の場合（実線）及び高温の場合（破線）の２通りの場合しか示していないが、本実施形態においては、温度に応じて維持ドライバ制御信号Ｓｓｕｄ２を立ち下げるタイミングを連続的に変化させることができる。
【００６３】
次に、本発明の第２の実施形態について説明する。本実施形態に係るプラズマ表示装置においては、前述の第１の実施形態と同様に、図１に示す温度センサ３１及び放電開始電圧予測回路３２が設けられている。そして、本実施形態においては、コントローラ２９が、放電開始電圧予測回路３２の予測結果に基づいて、プライミング期間Ｔｐ内における一定の時刻ｔ１にプライミング放電が開始するように、スイッチ２３−１（図１０参照）とプライミング電圧Ｖｐが印加されるノード（図示せず）との間に接続された電界効果トランジスタからなる抵抗素子（図示せず）に印加するゲート電圧を制御する機能を備えている。本実施形態のコントローラ２９における上記以外の機能は、前述の従来のプラズマ表示装置におけるコントローラ２２（図９参照）の機能と同じである。また、本実施形態に係るプラズマ表示装置の上記以外の構成は、前述の第１の実施形態に係るプラズマ表示装置（図１参照）の構成と同様である。
【００６４】
次に、上述の如く構成された本実施形態に係るプラズマ表示装置の動作、即ち、本実施形態に係るプラズマ表示装置の駆動方法について説明する。図４は、本実施形態に係るプラズマ表示装置のプライミング動作を示すタイミングチャートである。
【００６５】
図１に示すように、プラズマ表示装置の動作中において、温度センサ３１が表示パネル１の温度を測定し、その測定結果を放電開始電圧予測回路３２に対して出力する。放電開始電圧予測回路３２は、温度センサ３１から入力された温度測定結果に基づいて放電開始電圧を予測し、この予測値をコントローラ２９に対して出力する。
【００６６】
そして、図４に示すように、コントローラ２９（図１参照）は、この放電開始電圧の予測値に基づいて、スイッチ２３−１（図１０参照）に接続された電界効果トランジスタのゲート電圧を制御し、プライミングパルスＰｐｒｐにおける電位が維持電圧Ｖｓからプライミング電圧Ｖｐに増加する部分の傾き（以下、単にプライミングパルスＰｐｒｐの傾きという）を、プライミング放電が一定の時刻ｔ１において開始するような傾きに調節する。
【００６７】
その後、コントローラ２９は、走査電極の電位をプライミング電圧Ｖｐに到達させた後、時刻ｔ５において、スキャンドライバ制御信号Ｓｓｃｄ１をハイレベルからロウレベルに立ち下げ、スキャンドライバ制御信号Ｓｓｃｄ２をロウレベルからハイレベルに立ち上げ、維持ドライバ制御信号Ｓｓｕｄ１をロウレベルからハイレベルに立ち上げるのと同時に、維持ドライバ制御信号Ｓｓｕｄ２をハイレベルからロウレベルに立ち下げる。これにより、走査電極の電位がプライミング電圧Ｖｐから維持電圧Ｖｓまで低下するのと同時に、維持電極の電位が接地電圧ＧＮＤから維持電圧Ｖｓに上昇する。即ち、維持電極は浮遊状態にはならず、負のプライミングパルスＰｐｒｎの波形は矩形になる。そして、維持ドライバ制御信号Ｓｓｕｄ２をハイレベルからロウレベルに立ち下げたときに、プライミング放電が停止する。
【００６８】
例えば、図４に実線で示すように、温度が常温であり、放電開始電圧が通常の値であるときは、コントローラ２９はプライミングパルスＰｐｒｐの傾きを通常の傾きとする。このとき、プライミング放電の開始時刻は時刻ｔ１となる。そして、コントローラ２２は時刻ｔ５に、維持ドライバ制御信号Ｓｓｕｄ２を立ち下げて、プライミング放電を停止させる。これに対して、図５に破線で示すように、温度が高温であり、放電開始電圧が通常の値よりも高い値であるときは、コントローラ２２はプライミングパルスＰｐｒｐの傾きを通常の傾きよりも大きな傾きとする。これにより、プライミング放電の開始時刻はｔ１となる。そして、コントローラ２９は時刻ｔ５に、維持ドライバ制御信号Ｓｓｕｄ２を立ち下げて、プライミング放電を停止させる。この結果、温度が変動しても、プライミング放電の開始時刻を時刻ｔ１に揃えることができ、プライミング放電の持続時間を一定時間、即ち、時刻ｔ１から時刻ｔ５までの時間に揃えることができ、プライミング放電の強度を一定とすることができる。本実施形態に係るプラズマ表示装置の上記以外の動作は、前述の第１の実施形態に係るプラズマ表示装置の動作と同様である。
【００６９】
本実施形態においては、表示パネルの温度が変動しても、プライミング放電の持続時間を一定とすることができる。これにより、表示パネルの温度が変動しても、プライミング放電後の表示セル内の電荷量を揃えることができる。この結果、温度が常温である場合に、過剰なプライミング放電が発生して画像のコントラストが低下することがなく、また、温度が高温である場合に、プライミング放電が不十分になりアドレス期間Ｔａにおいて書込不良が発生することもなく、表示パネルの温度が変動しても、表示品位を良好且つ安定に維持することができる。
【００７０】
また、前述の第１の実施形態においては、表示パネルの温度が変動したときに、プライミング放電のうち走査電極と維持電極との間で発生する放電（以下、面放電という）は均一化することができる。しかし、プライミング放電時には、走査電極とデータ電極との間においても若干の放電（以下、対向放電という）が発生しており、この対向放電は放電開始電圧が変動すると変動してしまう。従って、前述の第１の実施形態においても、放電開始電圧が変動すると、プライミング放電は僅かながら影響を受ける。
【００７１】
これに対して、本実施形態においては、走査電極とデータ電極との間の電圧も、放電開始電圧に対応して調節されるため、面放電だけでなく対向放電も均一化することができる。この結果、プライミング放電をより一層安定化させることができる。
【００７２】
なお、図４には、温度が常温の場合（実線）及び高温の場合（破線）の２通りの場合しか示していないが、本実施形態においては、温度に応じてプライミングパルスＰｐｒｐの傾きを連続的に変化させることができる。
【００７３】
次に、本発明の第３の実施形態について説明する。図５は本実施形態に係るプラズマ表示装置を示すブロック図であり、図６は図５に示すスキャンドライバ及び走査パルスドライバを示す回路図である。図５に示すように、本実施形態に係るプラズマ表示装置においては、前述の第１の実施形態に係るプラズマ表示装置（図１参照）におけるコントローラ２９の替わりにコントローラ３０が設けられており、駆動用電源２１の替わりに駆動用電源３３が設けられており、スキャンドライバ２３の替わりにスキャンドライバ３４が設けられている。また、本実施形態のプラズマ表示装置には、コントローラ３０に接続された起動検出回路としてのタイマ３５が設けられている。
【００７４】
駆動用電源３３は、スキャンドライバ３４に対して、２種類のプライミング電圧Ｖｐ及びＶｐ＋を供給するものである。プライミング電圧Ｖｐ＋はプライミング電圧Ｖｐよりも高い電圧である。駆動用電源３３における上記以外の機能は、前述の第１の実施形態における駆動用電源２１の機能と同じである。
【００７５】
タイマ３５は駆動用電源３３から論理電圧Ｖｄｄが入力されるようになっており、プラズマ表示装置の電源が投入されてからの時間を測定し、電源が投入されてから一定時間、例えば２乃至３秒間だけハイレベルの信号をコントローラ３０に対して出力し、その後はロウレベルの信号を出力するものである。即ち、タイマ３５は、駆動回路の電源が投入されてから前記一定時間経過以前か以後かを検出する起動検出回路である。前記一定時間は、予め設定されたものであり、プラズマ表示装置が起動してから表示セル内が活性化して放電開始電圧が通常の値に低下するまでに要する時間よりも長く設定されている。
【００７６】
図６に示すように、スキャンドライバ３４には、スイッチ２３−１乃至２３−６の他に、スイッチ２３−７が設けられている。スイッチ２３−７の一端にはプライミング電圧Ｖｐ＋が印加され、他端はポジティブライン２７に接続されている。スキャンドライバ３４における上記以外の構成は、前述の第１の実施形態におけるスキャンドライバ２３と同じである。
【００７７】
コントローラ３０は、スキャンドライバ３４に対して、スキャンドライバ制御信号Ｓｓｃｄ１乃至Ｓｓｃｄ６の他に、スキャンドライバ制御信号Ｓｓｃｄ７を出力するものである。スキャンドライバ制御信号Ｓｓｃｄ７は、スキャンドライバ３４のスイッチ２３−７に入力され、スイッチ２３−７のオン／オフ動作を制御する信号である。
【００７８】
そして、コントローラ３０は、タイマ３５からの信号に基づいて放電開始電圧を予測し、プライミングパルスＰｐｒｐの波形を制御するものである。即ち、コントローラ３０は、タイマ３５から入力される信号がロウレベルであるときには、プライミングパルスＰｐｒｐの波形を従来のプラズマ表示装置と同じ波形とするものである。このとき、プライミングパルスＰｐｒｐの到達電圧はプライミング電圧Ｖｐである。一方、コントローラ３０は、タイマ３５から入力される信号がハイレベルであるときには、プライミングパルスＰｐｒｐを生成するときに、スキャンドライバ制御信号Ｓｓｃｄ１はロウレベルに維持したまま、スキャンドライバ制御信号Ｓｓｃｄ７をハイレベルに立ち上げ、プライミングパルスＰｐｒｐの到達電位をプライミング電圧Ｖｐ＋とすると共に、スキャンドライバ制御信号Ｓｓｃｄ７及びＳｓｃｄ２並びに維持ドライバ制御信号Ｓｓｕｄ１及びＳｓｕｄ２のタイミングを制御して、プライミングパルスＰｐｒｐの時間幅を通常よりも長くするものである。コントローラ３０における上記以外の機能は、前述の従来のプラズマ表示装置におけるコントローラ２２（図９参照）の機能と同じである。また、本実施形態に係るプラズマ表示装置の上記以外の構成は、図８乃至図１２に示す従来のプラズマ表示装置の構成と同様である。
【００７９】
次に、上述の如く構成された本実施形態に係るプラズマ表示装置の動作、即ち、本実施形態に係るプラズマ表示装置の駆動方法について説明する。図７は、本実施形態に係るプラズマ表示装置のプライミング動作を示すタイミングチャートである。
【００８０】
先ず、プラズマ表示装置の起動時、即ち、タイマ３５の出力信号がハイレベルである期間の動作について説明する。図５に示すように、プラズマ表示装置が停止状態から起動されると、駆動用電源３３が起動し、タイマ３５に対して論理電圧Ｖｄｄを供給する。これにより、タイマ３５が時間の測定を開始すると共に、ハイレベルの信号をコントローラ３０に対して出力する。一方、コントローラ３０は、表示パネル１に映像信号Ｓｖに基づく画像を表示させる。
【００８１】
そして、タイマ３５の出力信号がハイレベルであるとき、図７に示すように、コントローラ３０は、プライミング期間Ｔｐにおける所定の時刻ｔ０において、スキャンドライバ制御信号Ｓｓｃｄ１をロウレベルに維持したまま、スキャンドライバ制御信号Ｓｓｃｄ７をロウレベルからハイレベルに立ち上げ、スキャンドライバ制御信号Ｓｓｃｄ２をハイレベルからロウレベルに立ち下げる。これにより、走査電極に対して、到達電位がプライミング電圧Ｖｐ＋の鋸歯状波であるプライミングパルスＰｐｒｐが印加される。また、時刻ｔ０において、維持ドライバ制御信号Ｓｓｕｄ１をハイレベルからロウレベルに立ち下げると共に、維持ドライバ制御信号Ｓｓｕｄ２をロウレベルからハイレベルに立ち上げる。これにより、維持電極の電位が維持電圧Ｖｓから接地電圧ＧＮＤに低下し、負のプライミングパルスＰｐｒｎが開始される。
【００８２】
前述の如く、プラズマ表示装置の起動時においては放電開始電圧が高いため、時刻ｔ２においてプライミング放電が開始され、時刻ｔ２から一定時間ｔだけ経過した時刻ｔ４において、プライミング放電は自然に停止する。
【００８３】
そして、図７の破線で示すように、時刻ｔ４よりも遅い時刻ｔ７において、スキャンドライバ制御信号Ｓｓｃｄ７をハイレベルからロウレベルに立ち下げ、スキャンドライバ制御信号Ｓｓｃｄ２をロウレベルからハイレベルに立ち上げる。これにより、走査電極の電位がプライミング電圧Ｖｐ＋から維持電圧Ｖｓに低下し、プライミングパルスＰｐｒｐが終了する。また、時刻ｔ７において、維持ドライバ制御信号Ｓｓｕｄ１をロウレベルからハイレベルに立ち上げ、維持ドライバ制御信号Ｓｓｕｄ２をハイレベルからロウレベルに立ち下げる。これにより、維持電極の電位が接地電圧ＧＮＤから維持電圧Ｖｓに増加し、プライミングパルスＰｐｒｎが終了する。なお、プラズマ表示装置の起動時における放電開始電圧は予測できるため、放電開始時刻ｔ２も予測でき、従って、放電終了時刻ｔ４を予測でき、時刻ｔ４より遅い時刻ｔ７を設定できる。
【００８４】
プラズマ表示装置の起動後、ある程度の時間が経過すると、表示セル内の放電ガスが活性化し、放電開始電圧が低下する。そして、プラズマ表示装置の起動時から予め設定した一定時間、例えば２乃至３秒間経過すると、タイマ３５の出力信号がハイレベルからロウレベルに立ち下がる。この時点では既に、放電開始電圧は通常の値まで低下している。
【００８５】
次に、定常動作時、即ち、タイマ３５の出力信号がロウレベルである期間の動作について説明する。図７に示すように、プライミング期間Ｔｐにおける所定の時刻ｔ０における動作は、前述のプラズマ表示装置の起動時と同じである。即ち、コントローラ３０は、時刻ｔ０において、スキャンドライバ制御信号Ｓｓｃｄ７を立ち上げると共に、スキャンドライバ制御信号Ｓｓｃｄ２を立ち下げて、プライミングパルスＰｐｒｐを開始する。また、維持ドライバ制御信号Ｓｓｕｄ１を立ち下げると共に、維持ドライバ制御信号Ｓｓｕｄ２を立ち上げて、プライミングパルスＰｐｒｎを開始する。
【００８６】
この時点では、プラズマ表示装置は既に定常動作状態となっており、放電開始電圧は通常の値となっているため、時刻ｔ１においてプライミング放電が開始され、時刻ｔ１から一定時間ｔだけ経過した時刻ｔ３において、プライミング放電は自然に停止する。
【００８７】
そして、図７の実線に示すように、時刻ｔ３よりも遅く、例えば、時刻ｔ４よりも早い時刻ｔ６において、スキャンドライバ制御信号Ｓｓｃｄ７を立ち下げ、スキャンドライバ制御信号Ｓｓｃｄ２を立ち上げる。これにより、走査電極の電位がプライミング電圧Ｖｐ＋から維持電圧Ｖｓに低下し、プライミングパルスＰｐｒｐが終了する。また、時刻ｔ６において、維持ドライバ制御信号Ｓｓｕｄ１を立ち上げ、維持ドライバ制御信号Ｓｓｕｄ２を立ち下げる。これにより、維持電極の電位が接地電圧ＧＮＤから維持電圧Ｖｓに上昇し、プライミングパルスＰｐｒｎが終了する。なお、プラズマ表示装置の定常動作時における放電開始電圧は予測できるため、放電開始時刻ｔ１も予測でき、従って、放電終了時刻ｔ３を予測でき、時刻ｔ３より遅い時刻ｔ６を設定できる。
【００８８】
これにより、プラズマ表示装置の起動時であっても、定常動作時であっても、プライミング放電の持続時間を一定時間ｔとすることができ、プライミング放電の強度を一定とすることができる。本実施形態に係るプラズマ表示装置の上記以外の動作は、図１３に示す従来のプラズマ表示装置の動作と同様である。
【００８９】
本実施形態においては、プラズマ表示装置の起動時において、プライミングパルスＰｐｒｐ及びＰｐｒｎの時間幅を定常動作時よりも長くすると共に、プライミングパルスＰｐｒｐの到達電位を定常動作時よりも高くする。即ち、起動時は放電開始電圧が定常動作時よりも高く、プライミング放電の開始時刻ｔ２が常温時の開始時刻ｔ１よりも遅いため、走査電極と維持電極との間の電位差を連続的に増加させる期間から前記電位差を減少させる期間に移行する移行時刻ｔ７を定常動作時の移行時刻ｔ６よりも遅らせる。これにより、起動時に放電開始電圧が増加しても、プライミング放電の持続時間の変動を抑制することができ、従って、プライミング放電の強度を一定とすることができる。これにより、起動時と定常動作時とにおけるプライミング放電後の表示セル内の電荷量の変動を抑制することができる。この結果、起動時にプライミング放電が不十分になりアドレス期間Ｔａにおいて書込不良が発生することがなく、また、定常動作時に過剰なプライミング放電が発生して画像のコントラストが低下することがなく、表示品位を良好且つ安定にすることができる。
【００９０】
タイマ３５の出力信号がハイレベルからロウレベルに立ち下がる時刻は、表示セル内が活性化して放電開始電圧が通常の値まで低下した後になるように設定されているため、放電開始電圧が通常の値となってからタイマ３５の出力信号が立ち下がるまでの期間は、黒輝度が上昇し画像のコントラストが低下する。しかしながら、これはせいぜいプラズマ表示装置の起動後２乃至３秒間に過ぎないため、視聴者に不快感を与えることはない。また、タイマ３５の出力信号がハイレベルである期間は、表示パネル１に映像信号Ｓｖに基づいた画像を表示せずに、黒画面としてもよい。
【００９１】
なお、前述の第１及び第２の実施形態においては、温度に応じてプライミングパルスの波形を調節することにより、温度の変動が放電開始電圧に与える影響を解消する例を示し、前述の第３の実施形態においては、プラズマ表示装置の起動時にプライミングパルスの波形を調節することにより、起動時に放電開始電圧が増加することによる影響を解消する例を示したが、本発明はこれに限定されず、前述の第１及び第２の実施形態においてプラズマ表示装置にタイマ等を設けて、起動時における放電開始電圧の変動の影響を解消し、前述の第３の実施形態においてプラズマ表示装置に温度センサ及び放電開始電圧予測回路を設けて、温度の変動に起因する放電開始電圧の変動の影響を解消するようにしてもよい。また、前述の第１乃至第３の実施形態において、起動時の変動の影響及び温度に起因する変動の影響の双方を解消するようにしてもよい。
【００９２】
更に、前述の第１乃至第３の実施形態のうち少なくとも２つの実施形態を、相互に組み合わせて使用してもよい。例えば、前述の第１の実施形態（図３参照）において、前述の如く、温度に応じて維持ドライバ制御信号Ｓｓｕｄ２を立ち下げるタイミングを調節すると共に、プラズマ表示装置の起動時には、維持ドライバ制御信号Ｓｓｕｄ１を立ち上げるのと同時に維持ドライバ制御信号Ｓｓｕｄ２を立ち下げるようにして、維持電極を浮遊状態とする期間をなくしてもよい。また、このとき、前述の第３の実施形態（図７参照）において示した技術を併用し、プラズマ表示装置の起動時には定常動作時よりもプライミングパルスの時間幅を長くすると共に、到達電位を高くしてもよい。これにより、プラズマ表示装置の表示品質をより安定且つ良好にすることができる。
【００９３】
更にまた、前述の各実施形態においては、放電開始電圧が変動した場合に、プライミング放電の持続時間が一定値となる例を示したが、本発明においては、プライミング放電の持続時間は必ずしも厳密に一定時間となる必要はなく、プライミング放電後の表示セル内の電荷量が均一化される程度に、プライミング放電の持続時間が制御されればよい。
【００９４】
更にまた、前述の各実施形態においては、１フィールドに複数のサブフィールドを設け、全てのサブフィールドに夫々プライミング期間を設ける例を示したが、本発明はこれに限定されない。例えば、１フィールドを構成する複数のサブフィールドの中から１又は複数のサブフィールドを選択し、この選択したサブフィールドのみにプライミング期間を設けてもよい。又は、所定数の複数のフィールドに属するサブフィールドのうち１のサブフィールドのみにプライミング期間を設けてもよい。このように、プライミング期間の数を減らすことにより、黒輝度を低減し、画像のコントラストを向上させることができる。本発明は上述の全ての場合に有効である。
【００９５】
更にまた、上述の各実施形態においては、書込選択型の駆動方法について説明したが、本発明は消去選択型の駆動方法にも適用できることは言うまでもない。即ち、図１３に示すプライミング期間Ｔｐにおいて、プライミグ消去パルスＰｐｒｅの印加を中止するか、又は壁電荷調整用のパルスとして使用し、全ての表示セル内に壁電荷が形成された状態を実現し、このプライミング期間Ｔｐに続くアドレス期間Ｔａにおいて、書込選択の替わりに消去選択を行い、維持期間Ｔｓにおいて発光させない表示セルの壁電荷を消去する駆動方式にも、本発明は適用可能である。その理由は、消去選択型の駆動方法においても、プライミング期間終了後における表示セル内の電荷状態を一定にすることにより、良好且つ安定した表示品位を実現することができるからである。
【産業上の利用可能性】
【００９６】
本発明は、大型且つ薄型のテレビジョン受像機等に使用される交流放電型プラズマ表示装置に使用することができる。
【図面の簡単な説明】
【００９７】
【図１】本発明の第１の実施形態に係るプラズマ表示装置を示すブロック図である。
【図２】横軸に表示パネルの温度をとり、縦軸に放電開始電圧をとって、図１に示す放電開始電圧予測回路に記憶された温度−放電開始電圧相関データを示すグラフ図である。
【図３】本実施形態に係るプラズマ表示装置のプライミング動作を示すタイミングチャートである。
【図４】本発明の第２の実施形態に係るプラズマ表示装置のプライミング動作を示すタイミングチャートである。
【図５】本発明の第３の実施形態に係るプラズマ表示装置を示すブロック図である。
【図６】図５に示すスキャンドライバ及び走査パルスドライバを示す回路図である。
【図７】本実施形態に係るプラズマ表示装置のプライミング動作を示すタイミングチャートである。
【図８】ＡＣ型プラズマ表示装置の１つの表示セルを示す斜視図である。
【図９】従来のＡＣ型プラズマ表示装置を示すブロック図である。
【図１０】図９に示すスキャンドライバ及び走査パルスドライバを示す回路図である。
【図１１】図９に示す維持ドライバを示す回路図である。
【図１２】図９に示すデータドライバを示す回路図である。
【図１３】従来のプラズマ表示装置の書込選択型駆動動作を示すタイミングチャートである。
【図１４】図１３に示すプライミング期間Ｔｐを詳細に示すタイミングチャートである。
【符号の説明】
【００９８】
１；表示パネル
３−１乃至３−ｎ、１０３；走査電極
４−１乃至４−ｎ、１０４；維持電極
１０−１乃至１０−ｍ、１０７；データ電極
２１；駆動用電源
２２、２９、３０；コントローラ
２３、３４；スキャンドライバ
２３−１乃至２３−７、２４−１１乃至２４−１ｎ、２４−２１乃至２４−２ｎ、２５−１乃至２５−３、２６−１１乃至２６−１ｍ、２６−２１乃至２６−２ｍ；スイッチ
２４；走査パルスドライバ
２４−３１乃至２４−３ｎ、２４−４１乃至２４−４ｎ、２６−３１乃至２６−３ｍ、２６−４１乃至２６−４ｍ；ダイオード
２５；維持ドライバ
２６；データドライバ
２７；ポジティブライン
２８；ネガティブライン
３１；温度センサ
３２；放電開始電圧予測回路
３３；駆動用電源
３５；タイマ
１０１、１０２；絶縁基板
１０５、１０６；トレース電極
１０８；放電ガス空間
１０９；隔壁
１１０；可視光
１１１；蛍光体層
１１２；誘電体層
１１３；誘電体層
１１４；保護層
ＧＮＤ；接地電圧
Ｐｂｐ；バイアスパルス
Ｐｅｅｎ；電荷消去パルス
Ｐｐｒｐ、Ｐｐｒｎ；プライミングパルス
Ｐｓｃ１乃至Ｐｓｃｎ、Ｐｓｕ、Ｐｄ１乃至Ｐｄｍ；電圧
Ｐｓｕｎ１、Ｐｓｕｎ２；維持パルス
Ｓｄｄ１１乃至Ｓｄｄ１ｍ及びＳｄｄ２１乃至Ｓｄｄ２ｍ；データドライバ制御信号
Ｓｓｃｄ１乃至Ｓｓｃｄ７；スキャンドライバ制御信号
Ｓｓｐｄ１１乃至Ｓｓｐｄ１ｎ及びＳｓｐｄ２１乃至Ｓｓｐｄ２ｎ；走査パルスドライバ制御信号
Ｓｓｕｄ１乃至Ｓｓｕｄ３；維持ドライバ制御信号
Ｓｖ；映像信号
ｔ；時間
ｔ１、ｔ２、ｔ３、ｔ４、ｔ５、ｔ６、ｔ７；時刻
Ｔｐ；プライミング期間
Ｔａ；アドレス期間
Ｔｓ；維持期間
Ｔｅ；電荷消去期間
Ｖｂｗ；走査ベース電圧
Ｖｐ、Ｖｐ＋；プライミング電圧
Ｖｄｄ；論理電圧
Ｖｄ；データ電圧
Ｖｓ；維持電圧
Ｖｓｗ；バイアス電圧
【図１】
2005326835.tif 000003
【図２】
2005326835.tif 000004
【図３】
2005326835.tif 000005
【図４】
2005326835.tif 000006
【図５】
2005326835.tif 000007
【図６】
2005326835.tif 000008
【図７】
2005326835.tif 000009
【図８】
2005326835.tif 000010
【図９】
2005326835.tif 000011
【図１０】
2005326835.tif 000012
【図１１】
2005326835.tif 000013
【図１２】
2005326835.tif 000014
【図１３】
2005326835.tif 000015
【図１４】
2005326835.tif 000016